(57)【要約】【課題】保守点検後に医用診断装置が安全正常に稼働するように、遠隔操作による保守点検作業中に医用診断装置が誤って操作されて医用診断装置が搭載するデータに不備が生じることを防止することのできる安全確保支援システムおよび該システムを組み込んだ医用診断装置を提供する。【解決手段】遠隔操作によって医用診断装置３の保守点検を行う保守端末４からの保守点検に関する保守情報を受信する要求処理手段２ａと、要求処理手段２ａが受信した保守情報に基づいて保守点検対象となる医用診断装置３の現状を確認し記憶する使用状況確認手段２ｂと、使用状況確認手段２ｂからの使用状況情報に基づいて医用診断装置３の現状に合わせて操作者の誤操作防止の処理を行う誤操作防止処理手段２ｃとを備える。【選択図】図３
2008212539.tif 000002
【特許請求の範囲】
【請求項１】
遠隔操作によって医用診断装置の保守点検を行う保守端末からの保守点検に関する保守情報を受信する要求処理手段と、
前記要求処理手段が受信した保守情報に基づいて保守点検対象となる医用診断装置の現状を確認し記憶する使用状況確認手段と、
前記使用状況確認手段からの使用状況情報に基づいて前記医用診断装置の現状に合わせて操作者の誤操作防止の処理を行う誤操作防止処理手段と、
を備えることを特徴とする安全確保支援システム。
【請求項２】
前記誤操作防止処理手段は、操作者による医用診断装置の操作を不可能とすることで保守点検の最中に操作者によって医用診断装置が操作されることを防止する誤操作防止処理を行うことを特徴とする請求項１に記載の安全確保支援システム。
【請求項３】
前記誤操作防止処理手段は、保守点検の最中に操作者による医用診断装置のシャットダウン操作が行われると、操作者に警告を報知する誤操作防止処理を行うことを特徴とする請求項１または請求項２に記載の安全確保支援システム。
【請求項４】
前記誤操作防止処理手段は、保守点検の最中に操作者によって医用診断装置のシャットダウン操作が行われても医用診断装置のシャットダウンを拒否する誤操作防止処理を行うことを特徴とする請求項１ないし請求項３のいずれかに記載の安全確保支援システム。
【請求項５】
前記誤操作防止処理手段は、医用診断装置が保守点検の最中であることを表示手段に表示することで誤操作の防止を図る処理であることを特徴とする請求項１ないし請求項４のいずれかに記載の安全確保支援システム。
【請求項６】
請求項１ないし請求項５のいずれかに記載の安全確保支援システムを備えることを特徴とする医用診断装置。
【発明の詳細な説明】
【技術分野】
【０００１】
本発明は、遠隔操作によって医用診断装置の保守点検を行うにあたって、保守点検作業が正常に行われ医用診断装置の使用が安全に行われるようその安全の確保支援を行う安全確保支援システムおよび該システムを組み込んだ医用診断装置に関する。
【背景技術】
【０００２】
従来、医療機関にある医用診断装置に対して、インターネット等ネットワークを介して遠隔からその医用装置の操作指導を行ったり、或いは、医用装置の保守点検を行うシステムとして、例えば、以下の特許文献１に開示されるような発明が知られている。
【０００３】
この特許文献１においては、医用装置から離れている場所から、その医用装置の操作者に操作方法を指導する場合に、操作者が選択した複数の指導モードに基づいて指導を行うことで操作方法をより正確に、かつ、効率よく伝えることができるとされる。
【０００４】
また、医用診断装置の保守センタが医療機関から例えば、医療情報システム内の情報（データ）の修正や回復等の保守点検の依頼を受ける場合がある。このような保守点検を遠隔操作により行う際には、原則として保守点検の対象となる医用診断装置を止めた状態で行う。そのため、通常は保守点検を行う前に保守センタ内の端末から医療機関に保守点検を行う旨の連絡を入れて作業予定を調整するとともに、保守点検中に医用診断装置を操作しないで欲しい旨、医療機関に依頼を行い、その後に保守点検を開始するという運用を行っている。
【特許文献１】特開２００２−３０６４５１号公報
【発明の開示】
【発明が解決しようとする課題】
【０００５】
しかしながら、上記特許文献１においては、指導する操作内容が指導者からその指導を受ける操作者に正確に伝わらないことに起因する操作上のトラブルをなくすことを主眼に置いている。そのため、指導者と操作者が互いに遠隔にいてやり取りを行うが、例えば、指導する操作内容が正しくても誤って伝わり、その誤った内容に基づいて医用診断装置が操作された場合の医用診断装置及び、その医用診断装置を使用して診断を受ける患者等の安全確保については考慮されていない。
【０００６】
また、遠隔操作により医療情報システム内のデータの修正や回復等の保守点検を行う場合には、上述のように保守点検予定を予め医療機関に報知してはいるが、例えば、保守点検予定が連絡を受けた者から他の者に連絡がされていなかった等、何らかの理由により操作者が医用診断装置を動かしてしまう、或いは、医用診断装置をシャットダウンしてしまう等の操作が行われてしまうことが考えられる。
【０００７】
特にネットワークによるデータ送受信時にこれらの行為が行われデータの改変や喪失等の不備が生じると、正しいデータが医用診断装置に与えられず、ひいては患者の取り違いや診療情報の損失等、医療事故の原因となり得る。例えば、ＣＴ（computed tomography：コンピュータ断層撮影）装置における放射線の曝射量の点検を行っている際にＣＴ装置が操作されてしまうと、実際に保守センタから送信された曝射量に関するデータに規定された曝射量に設定されているか否かがわからなくなってしまうことも考えられる。これでは、保守点検の作業を行ったとしても医用診断装置を安全に使用することはできない。
【０００８】
本発明は上記課題を解決するためになされたものであり、本発明の目的は、保守点検後に医用診断装置が安全正常に稼働するように、遠隔操作による保守点検作業中に医用診断装置が誤って操作されて医用診断装置が搭載するデータに不備が生じることを防止することのできる安全確保支援システムおよび該システムを組み込んだ医用診断装置を提供することである。
【課題を解決するための手段】
【０００９】
本発明の実施の形態に係る特徴は、安全確保支援システムにおいて、遠隔操作によって医用診断装置の保守点検を行う保守端末からの保守点検に関する保守情報を受信する要求処理手段と、要求処理手段が受信した保守情報に基づいて保守点検対象となる医用診断装置の現状を確認し記憶する使用状況確認手段と、使用状況確認手段からの使用状況情報に基づいて医用診断装置の現状に合わせて操作者の誤操作防止の処理を行う誤操作防止処理手段とを備える。
【発明の効果】
【００１０】
本発明によれば、保守点検後に医用診断装置が安全正常に稼働するように、遠隔操作による保守点検作業中に医用診断装置が誤って操作されて医用診断装置が搭載するデータに不備が生じることを防止することのできる安全確保支援システムおよび該システムを組み込んだ医用診断装置を提供することができる。
【発明を実施するための最良の形態】
【００１１】
（第１の実施の形態）
以下、本発明の第１の実施の形態について図面を参照して詳細に説明する。
【００１２】
図１は、本発明の実施の形態における遠隔保守システム１の全体構成を示す構成図である。この遠隔保守システム１は、安全確保支援システム２を組み込んだ医用診断装置３Ａないし３Ｃと、保守端末４とがネットワーク５を介して接続されている。この遠隔保守システム１にいう「遠隔」は、保守点検の対象となる医用診断装置３Ａないし３Ｃと保守端末４とが物理的に離れていることを示している。従って、保守端末４は医用診断装置３がある医療機関から距離的に遠く（遠隔）にある場合、同じ医療機関内にあるが別の部屋に設けられている場合、のいずれの場合も含む。そのため、ネットワーク５の例としては、ＬＡＮ（Local Area Network）やインターネット等のネットワークを挙げることができる。
【００１３】
図１では、ネットワーク５に接続される医用診断装置として３つ（医用診断装置３Ａないし３Ｃ。以下、まとめて「医用診断装置３」と表わす）記載し、保守端末は１つ記載しているが、ネットワーク５に接続される医用診断装置３、保守端末４は単数或いは複数のいずれでも良い。
【００１４】
医用診断装置３は、医療機関内に設置されており、例えば、Ｘ線診断装置やＣＴ装置、超音波診断装置、磁気共鳴診断装置、ガンマカメラやＰＥＴ（positron-emission tomography：ポジトロン放出断層撮影）、及び診断用ワークステーション等が該当する。また、医療機関に据え置き型の医用診断装置だけではなく、移動可能な医用診断装置も含まれる。本発明の実施の形態においては、安全確保支援システム２をこれら医用診断装置３に組み込んだ場合を例に挙げて以下、説明を行う。
【００１５】
図２は医用診断装置３の内部構成を示すブロック図である。医用診断装置３は、ＣＰＵ（Central Processing Unit）３ａと、ＲＯＭ(Read Only Memory)３ｂと、ＲＡＭ（Random Access Memory）３ｃ及び入出力インターフェイス３ｄがバス３ｅを介して接続されている。入出力インターフェイス３ｄには、入力手段３ｆと、表示手段３ｇと、通信制御手段３ｈと、記憶手段３ｉと、リムーバブルディスク３ｊと、駆動部制御手段３ｋとが接続されており、駆動部制御手段３ｋによって医用診断装置３の各駆動部３ｌが制御される。
【００１６】
ＣＰＵ３ａは、入力手段３ｆからの入力信号に基づいてＲＯＭ３ｂから医用診断装置３を起動するためのブートプログラムを読み出して実行し、記憶手段３ｉに格納されている各種オペレーティングシステムを読み出す。またＣＰＵ３ａは、入力手段３ｆや入出力インターフェイス３ｄを介して、図１に示す保守端末４からの入力信号や図２おいて図示していないその他の外部機器からの入力信号に基づいて各種装置の制御を行う。さらにＣＰＵ３ａは、ＲＡＭ３ｃや記憶手段３ｉ等に記憶されたプログラム及びデータを読み出してＲＡＭ３ｃにロードするとともに、ＲＡＭ３ｃから読み出されたプログラムのコマンドに基づいて、データの計算または加工等、一連の処理を実現する処理装置である。
【００１７】
入力手段３ｆは、医用診断装置３の操作者が各種の操作を入力するキーボード、ダイヤル等の入力デバイスにより構成されており、操作者の操作に基づいて入力信号を作成しバス３ｅを介してＣＰＵ３ａに送信される。また、医用診断装置３には、キーボード等だけでなく専用の操作パネルが設けられており、その操作パネル上の入力デバイスを介して操作画面に対する操作を行うこともできる。表示手段３ｇは、例えば液晶ディスプレイであり、例えばＣＰＵ３ａからバス３ｅを介して出力信号を受信し、ＣＰＵ３ａの処理結果等を表示する手段である。
【００１８】
通信制御手段３ｈは、ＬＡＮカードやモデム等の手段であり、医用診断装置３をインターネットやＬＡＮ等の通信ネットワーク５に接続することを可能とする手段である。通信制御手段３ｈを介して通信ネットワーク５と送受信したデータは入力信号または出力信号として、入出力インターフェイス３ｄ及びバス３ｅを介してＣＰＵ３ａに送受信される。
【００１９】
記憶手段３ｉは、半導体や磁気ディスクで構成されており、ＣＰＵ３ａで実行されるプログラムやデータが記憶されている。
【００２０】
リムーバブルディスク３ｊは、光ディスクやフレキシブルディスクのことであり、ディスクドライブによって読み書きされた信号は、入出力インターフェイス３ｄ及びバス３ｅを介してＣＰＵ３ａに送受信される。
【００２１】
なお、本発明の実施の形態における医用診断装置３では、安全確保支援プログラムが記憶手段３ｉ、或いはリムーバブルディスク３ｊに格納されており、ＣＰＵ３ａに読み込まれ実行されることにより、安全確保支援システム２が医用診断装置３に実装されることになる。
【００２２】
図３は、安全確保支援システム２が医用診断装置３に実装された場合の構成を示すブロック図である。安全確保支援システム２は、要求処理手段２ａと、使用状況確認手段２ｂと、誤操作防止処理手段２ｃとから構成される。
【００２３】
要求処理手段２ａは、保守端末４からネットワーク５を介して送信された保守点検に関する保守情報を受信する。保守端末４は、遠隔で医用診断装置３について保守点検を行うにあたり、その開始の情報を医用診断装置３に送信する。この保守情報は、保守点検の対象となる医用診断装置３に送られ、この保守情報を受信した医用診断装置３側ではこの保守情報に基づいて保守点検の態勢に入る。
【００２４】
要求処理手段２ａにおいて受け付けた保守情報は、使用状況確認手段２ｂに送信される。この使用状況確認手段２ｂはこの保守情報を受信し、この受信時の医用診断装置３の現在の状態を確認し記憶する。例えば、保守点検開始の保守情報を受けた場合は、使用状況確認手段２ｂは医用診断装置３の状態を「保守点検作業中」として記憶手段３ｉに記憶する。一方、保守点検終了時には、医用診断装置３の状態を「保守点検作業中」から「通常状態」に変更して記憶手段３ｉに記憶する。
【００２５】
さらに使用状況確認手段２ｂは医用診断装置３の現状を確認し、その結果を使用状況情報として記憶手段３ｉに送信するとともに、誤操作防止処理手段２ｃにもその情報を送信する。誤操作防止処理手段２ｃは、使用状況確認手段２ｂから送信されてきた使用状況情報に基づいて、医用診断装置３において保守点検中に操作者によって何らかの操作が行われることを防止するために操作者に報知する。
【００２６】
次に、医用診断装置３の保守点検作業の開始から終了までの手順を図４に示すフローチャート等を使用しつつ説明する。
【００２７】
上述したように、遠隔からの保守点検中に医用診断装置３が操作されると、例えば、データ送受信時にデータの改変や喪失等の不備が生ずることもあり、このようなデータに基づいて医用診断装置３が操作されると事故を引き起こす可能性もある。そのため保守点検中に操作者によって医用診断装置３が操作されることを防止する必要がある。医用診断装置３では、要求処理手段２ａが保守端末４からの保守点検の開始を医用診断装置３に報知する保守情報を受信することをきっかけとして誤操作防止の処理を行う。
【００２８】
保守端末４から送信される保守情報には、医用診断装置３の現状を変更する変更要求が含まれている。この変更要求は、保守点検の対象となる医用診断装置３の状態を患者の撮影や撮影画像の読影等、医用診断装置３がその本来の状態（以下、「通常状態」という。）から、保守点検を受ける状態（以下、「保守点検状態」という。）へとの変更を要求するものである（ＳＴ１）。
【００２９】
この変更要求を受けて要求処理手段２ａは、まず使用状況確認手段２ｂに医用診断装置３の現在の状態を確認させる。一般的に保守点検が開始される前は医用診断装置３は通常状態にある。そのため、要求処理手段２ａは使用状況確認手段２ｂに、通常状態から保守点検状態へと医用診断装置３の状態を変更するように要求する（ＳＴ２）。この要求に基づいて使用状況確認手段２ｂは医用診断装置３の状態を保守点検状態へと変更する（ＳＴ３）。
【００３０】
さらに誤操作防止処理手段２ｃは、この変更結果を示す使用状況情報を使用状況確認手段２ｂから受信する（ＳＴ４）。この変更結果を受けて誤操作防止処理手段２ｃは医用診断装置３が保守点検状態であることを表示手段３ｇに表示して、操作者が医用診断装置３を操作することを防止する（ＳＴ５）。
【００３１】
表示手段３ｇに表示する項目はどのような項目でも良いが、例えば、図５に示すように、保守点検作業中であること、及び作業終了時間を表示させることができる。そしてこのように操作者に報知した上で保守作業を開始する（ＳＴ６）。
【００３２】
保守作業中は、例えば一定時間ごとに保守端末４から保守作業の終了を知らせる保守情報を要求処理手段２ａが受信したか否かを判断する（ＳＴ７）。この保守情報を受信すると（ＳＴ７のＹ）、再度ステップ２に示すように要求処理手段２ａが使用状況確認手段２ｂに医用診断装置３の状態を保守点検状態から通常状態への変更を要求する。そしてこの要求に従って記憶手段３ｉ内の医用診断装置３の現状を示す使用状況情報が変更され、表示手段３ｇに表示される画面が通常状態に表示される画面へと変更される（ＳＴ２ないしＳＴ５）。これによって保守作業は終了する（ＳＴ６のＮ）。
【００３３】
このようにすることで、遠隔操作による保守点検作業中に対象となる医用診断装置が操作されることがなくなり、誤操作されて医用診断装置が搭載するデータに不備が生じることを防止することのできる安全確保支援システムおよび該システムを組み込んだ医用診断装置を提供することができる。従って、このシステムによって医療機関が医用診断装置、それを使用する操作者、患者の安全を確保することを支援することができる。
【００３４】
（第２の実施の形態）
次に本発明における第２の実施の形態について説明する。なお、第２の実施の形態において、上述の第１の実施の形態において説明した構成要素と同一の構成要素には同一の符号を付し、同一の構成要素の説明は重複するので省略する。
【００３５】
第２の実施の形態においては、保守点検作業中は操作者による医用診断装置３の操作そのものを不可能とするように医用診断装置３をロックしてしまう方法を採用する。すなわち、第１の実施の形態においては表示手段３ｇ等を利用して操作者に報知しているが、これは報知するにすぎず、操作者が医用診断装置３を操作しようと思えば操作することは可能な状態にある。そのため操作者が保守点検作業中であることを認識した上で、或いは不注意等によって医用診断装置３を操作することが可能である。
【００３６】
操作者が医用診断装置３を操作しようと思えば操作できる状態では、保守端末４からデータが適切に送信されない可能性が残ってしまい、操作者の誤操作を完全には防止することができない。そこで、第２の実施の形態においては、次に示すような流れで医用診断装置３をロックして操作者が操作することができないようにする。
【００３７】
図６のフローチャートに示すように、ステップ１ないしステップ４までの流れは第１の実施の形態と同様である。すなわち、保守端末４から送信される医用診断装置３の使用状態を変更する内容の変更要求を含む保守情報を要求処理手段２ａが受信する。その後要求処理手段２ａが使用状況確認手段２ｂに医用診断装置３の状態を通常状態から保守点検状態への変更を要求する。そしてこの要求に従って記憶手段３ｉ内の医用診断装置３の現状を示す使用状況情報が変更される（ＳＴ１ないしＳＴ４）。
【００３８】
誤操作防止処理手段２ｃは、受信した使用状況情報を基に医用診断装置３が操作者によって操作されないようにロックをする（ＳＴ１１）。このロックは、安全確保支援システム２から医用診断装置３のＣＰＵ３ａに医用診断装置３が操作できないようにロックを行うよう制御指令が出され、医用診断装置３に搭載されるＯＳが医用診断装置３を操作できないように制御することで行われる。なおロックは、例えば、Ｗｉｎｄｏｗｓ（登録商標）のスクリーンロック機能のようなＯＳの機能を設定したり、セキュルティソフトウェアの起動を設定したりすることにより行われる。
【００３９】
その後保守点検作業が開始され（ＳＴ１２）、保守点検作業が終了すると（ＳＴ１３）要求処理手段２ａが使用状況確認手段２ｂに医用診断装置３の状態を保守点検状態から通常状態へと変更することを要求する（ＳＴ１４）。使用状況確認手段２ｂは医用診断装置３の使用状況情報を変更し、誤操作防止処理手段２ｃに送信する（ＳＴ１５、ＳＴ１６）。誤操作防止処理手段２ｃは、使用状況確認手段２ｂからの使用状況情報に基づいてこれまで医用診断装置３にかけていたロックを解除する（ＳＴ１７）。すなわち、安全確保支援システム２からＣＰＵ３ａにロック解除の制御指令を出し、ＯＳが医用診断装置３を改めて操作できるように制御する。
【００４０】
このように保守点検作業を行っている最中は医用診断装置３を操作できないようにロックしてしまうことで、操作者の誤操作を完全に防止して医用診断装置が搭載するデータに不備が生じることを防止することのできる安全確保支援システムおよび該システムを組み込んだ医用診断装置を提供することができる。
【００４１】
（第３の実施の形態）
次に本発明における第３の実施の形態について説明する。なお、第３の実施の形態において、上述の第１または第２の実施の形態において説明した構成要素と同一の構成要素には同一の符号を付し、同一の構成要素の説明は重複するので省略する。
【００４２】
第３の実施の形態では、医用診断装置３の操作者が、例えば、入力手段３ｆのキーを触る等の簡単な操作ではなく、医用診断装置３をシャットダウンする操作を行った場合を想定した誤操作防止処理を定めたものである。
【００４３】
すなわち、保守点検作業中に医用診断装置３を操作されるだけで保守端末４から送信されたデータに不備が生じる可能性が考えられるため、操作者の操作を防止する必要があることからすれば、医用診断装置３がシャットダウンされてしまうとそもそも保守端末４からデータを送信することができなくなり、医用診断装置３を安全正常に使用することが困難となる。そのため、第３の実施の形態ではこのような重大な不備を防止するために、保守点検作業中にシャットダウン操作が行われることを防止する。
【００４４】
図７は、保守点検作業中にシャットダウン操作が行われることを防止するために安全確保支援システム２において行われる誤操作防止処理の流れを示すフローチャートである。
【００４５】
ステップ１ないしステップ５までの流れは第１の実施の形態と同様である。すなわち、保守端末４から送信される医用診断装置３の使用状態を変更する内容の使用状況情報を含む保守情報を要求処理手段２ａが受信する。その後要求処理手段２ａが使用状況確認手段２ｂに医用診断装置３の状態を通常状態から保守点検状態への変更を要求する。そしてこの要求に従って記憶手段３ｉ内の医用診断装置３の現状を示す使用状況情報が変更されるとともに、表示手段３ｇに例えば、図５に示すような画面を出して操作者に保守点検作業中であることを報知する（ＳＴ１ないしＳＴ５）。
【００４６】
次に、誤操作防止処理手段２ｃは、保守点検作業が終了したか否かの判断を行い（ＳＴ２１）、保守点検作業が終了しない場合（作業開始の場合）は、操作者によってシャットダウン操作が行われた場合に誤操作防止処理手段２ｃに通知を発するように設定する（ＳＴ２２）。つまり、誤操作防止処理手段２ｃからＣＰＵ３ａに制御指令が出され、医用診断装置３に搭載されるＯＳが操作者によるシャットダウン操作を検知して誤操作防止処理手段２ｃに通知する。この設定は、例えば、Ｗｉｎｄｏｗｓ（登録商標）やＵｎｉｘ（登録商標）のシャットダウンルーチンの登録機能を用いたり、ベンダーが予めＯＳに組み込んだ管理機能を用いることで行うことができる。
【００４７】
この設定が終了すると、保守点検作業が開始される（ＳＴ２３）。保守点検作業が行われている最中は、適宜シャットダウン操作が行われたか否かが判断される（ＳＴ２４）。シャットダウン操作が行われた場合は（ＳＴ２４のＹ）、ＯＳがその操作を検知して誤操作防止処理手段２ｃに通知する（ＳＴ２５）。この通知を受けた誤操作防止処理手段２ｃは、操作者に対して、例えば、表示手段３ｇにこのままシャットダウン操作を継続して行うか否かの表示させ（ＳＴ２６）、操作者の注意を喚起する。操作者がこの表示を見てもあくまでもシャットダウン操作を行う、との意思の下シャットダウン操作を継続した場合には（ＳＴ２７のＹ）は、医用診断装置３はシャットダウンされる。一方、表示手段３ｇに表示された報知を見て操作者がシャットダウン操作を中断した場合は（ＳＴ２７のＮ）、そのまま保守点検作業が継続される。
【００４８】
この保守点検作業が終了したか否かの判断も適宜行われ（ＳＴ２８）、保守点検作業が終了したと判断された場合には（ＳＴ２８のＹ）、ステップ２に戻り、要求処理手段２ａが使用状況確認手段２ｂに医用診断装置３の状態を保守点検状態から通常状態への変更を要求する。そしてこの要求に従って記憶手段３ｉ内の医用診断装置３の現状を示す使用状況情報が変更されるとともに操作者に保守点検が終了し、通常通り操作できることを報知する（ＳＴ１ないしＳＴ５）。ここでは保守点検作業が終了しているので、その判断がなされる（ＳＴ２１のＹ）。
【００４９】
このように操作者がシャットダウン操作を行う際に、操作者がその操作の継続を行うか否かを改めて判断をする機会を付与することで、遠隔操作による保守点検作業中に医用診断装置が誤って操作されて医用診断装置が搭載するデータに不備が生じることを防止することのできる安全確保支援システムおよび該システムを組み込んだ医用診断装置を提供することができる。
【００５０】
なお、第３の実施の形態においては、シャットダウン操作が行われた場合に、操作者にその操作の可否を問い合わせることとしているが、このような問い合わせを行うことなく、保守点検作業が終了するまではシャットダウン操作が全くできないように設定することも可能である。この設定は、シャットダウンボタンのクリックやキーの入力を受け付けなくなる設定である。例えば、Ｗｉｎｄｏｗｓ（登録商標）のレジストリやＵｎｉｘ（登録商標）のシステム設定の変更を行ったり、入力手段３ｆからの入力に割り込み処理を登録する、或いは、ベンダーが予めＯＳに組み込んだ管理機能を用いることでこの設定を行うことができる。
【００５１】
このように構成することで、より確実に操作者によるシャットダウン操作がなくなり、保守端末４から送信されたデータに不備が生じる可能性をより低くすることができる。
【００５２】
なお、上述した実施の形態においては、特に保守端末４から医用診断装置３への遠隔保守の方法については特定していないが、例えば、保守端末４が、例えばＷｉｎｄｏｗｓ（登録商標）のリモートデスクトップ機能、ＶＮＣ（Virtual Network Computing）やＰＣＡｎｙｗａｒｅ等の画面共有ソフトを利用して医用診断装置３の表示手段３ｇの画面を保守端末４上に表示させ、或いは、Ｗｉｎｄｏｗｓ（登録商標）のターミナルサービスのような通信ソフトウエアを使用して保守点検作業を行うことができる。
【００５３】
また、医用診断装置３が保守点検状態にあることを操作者に報知する方法は、表示手段３ｇに保守点検作業中であること等を示すことの他に、例えば、音声で報知する等、操作者の注意を喚起する方法であれば特に問わない。
【００５４】
この発明は、上記実施の形態そのままに限定されるものではなく、実施段階ではその要旨を逸脱しない範囲で構成要素を変形して具体化できる。例えば、上述した実施の形態においては安全確保支援システムを医用診断装置に搭載した場合を例に挙げて説明したが、その他に、例えば、病院情報管理システム（ＨＩＳ：Hospital Information System）、放射線部門情報管理システム（ＲＩＳ：Radiological Information System）、医用画像管理システム（ＰＡＣＳ：Picture Archiving Communication System）といった医療機関内に構築された各種管理システムと組み合わせて用いても良い。上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【図面の簡単な説明】
【００５５】
【図１】本発明の実施の形態における遠隔保守システム１の全体構成を示す構成図である。
【図２】医用診断装置の内部構成を示すブロック図である。
【図３】安全確保支援システムの内部構成を示すブロック図である。
【図４】本発明の第１の実施の形態における安全確保支援システムにおいて行われる誤操作防止処理の流れを示すフローチャートである。
【図５】表示手段に示される誤操作防止の表示例を表わす画面例である。
【図６】本発明の第２の実施の形態における安全確保支援システムにおいて行われる誤操作防止処理の流れを示すフローチャートである。
【図７】本発明の第３の実施の形態における安全確保支援システムにおいて行われる誤操作防止処理の流れを示すフローチャートである。
【符号の説明】
【００５６】
１    遠隔保守システム
２    安全確保支援システム
２ａ  要求処理手段
２ｂ  使用状況確認手段
２ｃ  誤操作防止処理手段
３    医用診断装置
４    保守端末
５    ネットワーク
【図１】
2008212539.tif 000003
【図２】
2008212539.tif 000004
【図３】
2008212539.tif 000005
【図４】
2008212539.tif 000006
【図５】
2008212539.tif 000007
【図６】
2008212539.tif 000008
【図７】
2008212539.tif 000009